(57)【要約】【課題】低音域の出力特性が十分でない装置を複数台用いて一つの楽曲データを再生することにより、個々のスピーカの出力特性を改善した高音質な楽曲再生を行う。【解決手段】楽曲再生システムは、複数の携帯端末装置のそれぞれが一つの楽曲データを構成する少なくとも１つの個別楽曲データに基づいて再生処理を行うことにより、複数の楽曲再生装置で一つの楽曲データに基づく楽曲を再生する。複数の楽曲再生装置のそれぞれは、音響出力を行うスピーカと、楽曲データを構成する少なくとも１つの個別楽曲データのうち、当該装置において再生対象となる個別楽曲データを記憶するメモリと、メモリに記憶される個別楽曲データを、スピーカの出力特性に基づいて減衰させるデータ変換手段と、他の楽曲再生装置と再生タイミングの同期をとってデータ変換手段で減衰させた個別楽曲データを再生し、スピーカより出力する再生手段とを備える構成である。【選択図】図１
2011010183.tif 000002
【特許請求の範囲】
【請求項１】
複数の楽曲再生装置のそれぞれが一つの楽曲データを構成する少なくとも１つの個別楽曲データに基づいて再生処理を行うことにより、前記複数の楽曲再生装置で前記一つの楽曲データに基づく楽曲を再生する楽曲再生システムであって、
前記複数の楽曲再生装置のそれぞれは、
音響出力を行うスピーカと、
前記楽曲データを構成する少なくとも１つの個別楽曲データのうち、当該装置において再生対象となる個別楽曲データを記憶する記憶手段と、
前記記憶手段に記憶される個別楽曲データを、前記スピーカの出力特性に基づいて減衰させるデータ変換手段と、
他の楽曲再生装置と再生タイミングの同期をとって、前記データ変換手段で減衰させた個別楽曲データを再生し、前記スピーカより出力する再生手段と、
を備えることを特徴とする楽曲再生システム。
【請求項２】
前記データ変換手段は、前記スピーカの周波数特性の逆特性フィルタにより個別楽曲データを減衰させることを特徴とする請求項１記載の楽曲再生システム。
【請求項３】
前記複数の楽曲再生装置のそれぞれは他の楽曲再生装置とデータ通信を行う通信手段をさらに備え、
前記複数の楽曲再生装置のうちの一つが、各楽曲再生装置での再生対象となる個別楽曲データを前記楽曲データから生成し、前記通信手段を介して、他の楽曲再生装置に個別楽曲データを送信すると共に、他の楽曲再生装置に再生タイミングを指示することを特徴とする請求項１又は２記載の楽曲再生システム。
【請求項４】
前記楽曲データは、低域用データと１以上のチャンネルデータとを含むサラウンドデータであり、
前記複数の楽曲再生装置のそれぞれが各装置に割り当てられたチャンネルデータと低域用データとに基づいて再生を行うことを特徴とする請求項１乃至３のいずれかに記載の楽曲再生システム。
【請求項５】
前記楽曲データは、低域用データと１以上のチャンネルデータとを含むサラウンドデータであり、
前記複数の楽曲再生装置のそれぞれが、各装置に割り当てられたチャンネルデータから抽出される高域データと、全てのチャンネルデータから抽出される低域データを前記低域用データに加算したデータとに基づいて再生を行うことを特徴とする請求項１乃至３のいずれかに記載の楽曲再生システム。
【請求項６】
音響出力を行うスピーカと、
一つの楽曲データを構成する少なくとも１つの個別楽曲データのうち、当該装置において再生対象となる個別楽曲データを記憶する記憶手段と、
前記記憶手段に記憶される個別楽曲データを、前記スピーカの出力特性に基づいて減衰させるデータ変換手段と、
他の携帯端末装置とデータ通信を行うことによって再生タイミングの同期をとる通信手段と、
前記データ変換手段で減衰させた個別楽曲データを、前記再生タイミングで再生し、前記スピーカより出力する再生手段と、
を備えることを特徴とする携帯端末装置。
【請求項７】
前記データ変換手段は、前記スピーカの周波数特性の逆特性フィルタにより個別楽曲データを減衰させることを特徴とする請求項６記載の携帯端末装置。
【請求項８】
前記記憶手段には前記楽曲データが記憶されており、
前記通信手段を介して他の携帯端末装置とデータ通信を行うことにより前記楽曲データを再生する台数を確定し、各携帯端末装置において再生対象となる個別楽曲データを前記楽曲データから生成して他の携帯端末装置に送信すると共に、他の楽曲再生装置に対して再生タイミングを指示することを特徴とする請求項６又は７に記載の携帯端末装置。
【請求項９】
前記楽曲データは、低域用データと１以上のチャンネルデータとを含むサラウンドデータであり、
前記楽曲データを再生する台数に基づいて各携帯端末装置に低域用データと少なくとも１つのチャンネルデータとを割り当て、前記通信手段を介して各携帯端末装置に割り当てたデータを送信することを特徴とする請求項８記載の携帯端末装置。
【請求項１０】
前記楽曲データは、低域用データと１以上のチャンネルデータとを含むサラウンドデータであり、
各チャンネルデータの高域データと低域データとを分離して全てのチャンネルデータから得られる低域データを前記低域用データに加算し、
前記楽曲データを再生する台数に基づいて各携帯端末装置に対し、低域データを加算した低域用データと少なくとも１つのチャンネルデータから分離した高域データとを割り当て、前記通信手段を介して各携帯端末装置に割り当てたデータを送信することを特徴とする請求項８記載の携帯端末装置。
【請求項１１】
スピーカを備えた携帯端末装置によって実行される楽曲再生プログラムであって、前記携帯端末装置に、
一つの楽曲データを構成する少なくとも１つの個別楽曲データを所定の記憶手段に記憶させるステップと、
前記記憶手段に記憶した個別楽曲データを、前記スピーカの出力特性に基づいて減衰させるステップと、
他の携帯端末装置とデータ通信を行うことによって再生タイミングの同期をとるステップと、
減衰させた個別楽曲データを、前記再生タイミングで再生し、前記スピーカより出力するステップと、
を実行させることを特徴とする楽曲再生プログラム。
【発明の詳細な説明】
【技術分野】
【０００１】
本発明は、楽曲データに基づいて楽曲を再生するための技術であって、特に小型スピーカを備えた携帯電話機、ＰＤＡ（Personal Digital Assistants）、携帯ゲーム機などの携帯端末装置を複数台利用して一つの楽曲を高音質で再生する楽曲再生技術に関する。
【背景技術】
【０００２】
近年、携帯端末装置において映像に関する性能向上は著しく、ディスプレイの高精細化に伴い、小さい画面サイズであっても高画質な映像を楽しむことができるようになっている。その一方、音響に関する性能向上はあまり進んでおらず、例えば携帯端末装置で楽曲などを再生しても良好な音質で楽曲を楽しむことは難しい。これは携帯端末装置に搭載されるスピーカが小型スピーカであるため、低音域の出力特性が低いことに起因している。
【０００３】
ところで、従来、複数の携帯端末装置を用いてサラウンド音響を再生する技術の一つとして、例えば音響データを分割し、適宜共同する複数の携帯端末装置において再生させることが提案されている（例えば特許文献１）。
【先行技術文献】
【特許文献】
【０００４】
【特許文献１】特開２００３−４７０９８号公報
【発明の概要】
【発明が解決しようとする課題】
【０００５】
しかしながら、上記特許文献１では、小型スピーカを備えた携帯端末装置に特有の低音域の出力特性の改善については特に触れられていない。そのため、複数の携帯端末装置のそれぞれで低音域の出力特性が低下し、その結果、十分な低音出力が得られないという問題は依然として残っている。
【０００６】
そこで本発明は、従来の問題点を解決することを目的としてなされたものであり、低音域の出力特性が十分でないスピーカを備えた装置を複数台用いて一つの楽曲データを再生することにより、個々のスピーカの出力特性を改善した高音質な楽曲再生を行えるようにした楽曲再生システム、携帯端末装置および楽曲再生プログラムを提供するものである。
【課題を解決するための手段】
【０００７】
上記目的を達成するため、本発明にかかる第１の構成は、複数の楽曲再生装置のそれぞれが一つの楽曲データを構成する少なくとも１つの個別楽曲データに基づいて再生処理を行うことにより、複数の楽曲再生装置で一つの楽曲データに基づく楽曲を再生する楽曲再生システムであって、複数の楽曲再生装置のそれぞれが、音響出力を行うスピーカと、一つの楽曲データを構成する少なくとも１つの個別楽曲データのうち、当該装置において再生対象となる個別楽曲データを記憶する記憶手段と、記憶手段に記憶される個別楽曲データを、スピーカの出力特性に基づいて減衰させるデータ変換手段と、他の楽曲再生装置と再生タイミングの同期をとって、データ変換手段で減衰させた個別楽曲データを再生し、スピーカより出力する再生手段とを備える構成である。
【０００８】
この場合において、データ変換手段は、スピーカの周波数特性の逆特性フィルタにより個別楽曲データを減衰させるものであることが好ましい。また、複数の楽曲再生装置のそれぞれは他の楽曲再生装置とデータ通信を行う通信手段をさらに備え、複数の楽曲再生装置のうちの一つが、各楽曲再生装置での再生対象となる個別楽曲データを楽曲データから生成し、通信手段を介して、他の楽曲再生装置に個別楽曲データを送信すると共に、他の楽曲再生装置に再生タイミングを指示するものであることがより好ましい。
【０００９】
また、楽曲データが低域用データと１以上のチャンネルデータとを含むサラウンドデータである場合、複数の楽曲再生装置のそれぞれが各装置に割り当てられたチャンネルデータと低域用データとに基づいて再生を行うように構成しても良い。また、楽曲データが低域用データと１以上のチャンネルデータとを含むサラウンドデータである場合、複数の楽曲再生装置のそれぞれが、各装置に割り当てられたチャンネルデータから抽出される高域データと、全てのチャンネルデータから抽出される低域データを低域用データに加算したデータとに基づいて再生を行うように構成しても良い。
【００１０】
また本発明にかかる第２の構成は、携帯端末装置であって、音響出力を行うスピーカと、一つの楽曲データを構成する少なくとも１つの個別楽曲データのうち、当該装置において再生対象となる個別楽曲データを記憶する記憶手段と、記憶手段に記憶される個別楽曲データを、スピーカの出力特性に基づいて減衰させるデータ変換手段と、他の携帯端末装置とデータ通信を行うことによって再生タイミングの同期をとる通信手段と、データ変換手段で減衰させた個別楽曲データを、再生タイミングで再生し、スピーカより出力する再生手段とを備える構成である。この場合においても、データ変換手段は、スピーカの周波数特性の逆特性フィルタにより個別楽曲データを減衰させるものであることが好ましい。
【００１１】
また携帯端末装置の記憶手段には楽曲データが記憶されており、通信手段を介して他の携帯端末装置とデータ通信を行うことにより楽曲データを再生する台数を確定し、各携帯端末装置において再生対象となる個別楽曲データを楽曲データから生成して他の携帯端末装置に送信すると共に、他の楽曲再生装置に対して再生タイミングを指示する構成としても良い。
【００１２】
また楽曲データが低域用データと１以上のチャンネルデータとを含むサラウンドデータである場合、楽曲データを再生する台数に基づいて各携帯端末装置に低域用データと少なくとも１つのチャンネルデータとを割り当て、通信手段を介して各携帯端末装置に割り当てたデータを送信する構成としても良い。さらに楽曲データが低域用データと１以上のチャンネルデータとを含むサラウンドデータである場合、各チャンネルデータの高域データと低域データとを分離して全てのチャンネルデータから得られる低域データを前記低域用データに加算し、楽曲データを再生する台数に基づいて各携帯端末装置に対し、低域データを加算した低域用データと少なくとも１つのチャンネルデータから分離した高域データとを割り当て、通信手段を介して各携帯端末装置に割り当てたデータを送信する構成としても良い。
【００１３】
また本発明にかかる第３の構成は、スピーカを備えた携帯端末装置によって実行される楽曲再生プログラムであって、携帯端末装置に、一つの楽曲データを構成する少なくとも１つの個別楽曲データを所定の記憶手段に記憶させるステップと、記憶手段に記憶した個別楽曲データを、スピーカの出力特性に基づいて減衰させるステップと、他の携帯端末装置とデータ通信を行うことによって再生タイミングの同期をとるステップと、減衰させた個別楽曲データを、再生タイミングで再生し、スピーカより出力するステップとを実行させるものである。
【発明の効果】
【００１４】
本発明によれば、低音域の出力特性が十分でないスピーカを備えた装置を複数台用いて一つの楽曲データを再生する場合であっても、各装置において再生対象となる個別楽曲データをスピーカの出力特性に基づいて減衰させ、その減衰させた個別楽曲データに基づき、他の装置と同期をとって再生を行うので、ほぼフラットな周波数特性である高音質な楽曲再生を行うことができる。また各装置は同期した再生を行うので、楽曲としての出力レベルを向上させることができる。さらに楽曲データがサラウンドデータである場合であっても低音用データを全ての装置で再生することにより、再生音質の向上を図ることが可能である。
【図面の簡単な説明】
【００１５】
【図１】第１の実施の形態における楽曲再生システムの構成例を示す図である。
【図２】各携帯端末装置の一構成例を示すブロック図である。
【図３】周波数特性を示す図である。
【図４】周波数特性を示す図である。
【図５】周波数特性を示す図である。
【図６】第１の実施の形態における処理手順の一例を示すフローチャートである。
【図７】第２の実施の形態における楽曲再生システムの構成例を示す図である。
【図８】周波数特性を示す図である。
【図９】周波数特性を示す図である。
【図１０】第２の実施の形態における処理手順の一例を示すフローチャートである。
【図１１】第２の実施の形態における処理手順の一例を示すフローチャートである。
【図１２】周波数特性を示す図である。
【図１３】周波数特性を示す図である。
【図１４】第３の実施の形態における機能構成を示すブロック図である。
【図１５】第３の実施の形態における処理手順の一例を示すフローチャートである。
【図１６】第３の実施の形態における処理手順の一例を示すフローチャートである。
【発明を実施するための形態】
【００１６】
以下、本発明に関する好ましい実施形態について図面を参照しつつ詳細に説明する。尚、以下に説明する各実施形態において互いに共通する部材には同一符号を付しており、それらについての重複する説明は省略する。
【００１７】
（第１の実施の形態）
図１は、第１の実施の形態における楽曲再生システム１の構成例を示す図である。楽曲再生システム１は、楽曲再生装置として、複数の携帯端末装置２を備えている。図例では５台の携帯端末装置２によって楽曲再生システム１を構成する場合を示しているが、携帯端末装置２の台数はこれに限られるものではない。各携帯端末装置２は、例えば携帯電話機、ＰＤＡ（Personal Digital Assistants）、携帯ゲーム機などの装置であり、それぞれ音響出力を行うための小型のスピーカ１５を備えている（図２参照）。楽曲再生システム１では、複数の携帯端末装置２のそれぞれが、一つの楽曲データに基づいて互いに同期した再生処理を行うことにより、スピーカの出力特性を改善して高音質な楽曲再生を行うように構成される。ここで複数の携帯端末装置２のうちの１台の装置はマスター装置３として機能し、その他の装置はスレーブ装置４として機能する。マスター装置３は、例えばスレーブ装置４に対して再生タイミングを指示することにより、楽曲再生時の同期をとる。
【００１８】
図２は各携帯端末装置２の一構成例を示すブロック図である。図例は携帯端末装置２が携帯電話機である場合を示しており、アンテナ１１と、該アンテナ１１を介して通信基地局と電波の送受信を行う電波送受信部１２とを備えている。また携帯端末装置２は、音声を入力するマイク１３と、マイク１３からの音声信号を処理する音声入力部１４と、音響出力を行う小型サイズのスピーカ１５と、スピーカ１５に対して音響信号を出力するスピーカ出力部１６と、他の携帯端末装置２と無線通信を行う無線通信部１７と、他の携帯端末装置２とケーブル接続したり、メモリカードなどを装着したりするための外部インタフェース１８と、プログラムを実行するＣＰＵ１９と、各種データを記憶するメモリ２０と、液晶ディスプレイなどの表示部２１と、操作部２２と、現在時刻をカウントする内部時計としての時計回路２３とを備えている。これら各部は、データバス２４を介して相互にデータ入出力を行うことができるように構成されている。
【００１９】
ＣＰＵ１９は電源起動に伴って所定のプログラムを実行することにより、各携帯端末装置２における各種の機能を実現する。特に本実施形態では各携帯端末装置２のメモリ２０に、複数の携帯端末装置２と同期して一つの楽曲を再生するための楽曲再生プログラム８が予め記憶されており、ＣＰＵ１９はその楽曲再生プログラム８を実行する。楽曲再生プログラム８は、例えば電波送受信部１２が通信基地局を介して所定のダウンロードサイトからダウンロードすることにより取得され、メモリ２０に格納される。また無線通信部１７や外部インタフェース１８を介して他の携帯端末装置２やメモリカードなどから取得され、メモリ２０に格納されても良い。そして複数の携帯端末装置２のそれぞれにおいて、ＣＰＵ１９が楽曲再生プログラム８を実行することにより、複数の携帯端末装置２が相互にデータ通信を行い、そのうちの１台がマスター装置３として決定され、他の装置がスレーブ装置４として決定される。尚、マスター装置３の決定は楽曲再生プログラム８の起動時に手動操作によって決定しても良い。
【００２０】
またメモリ２０には、各携帯端末装置２において再生対象となる楽曲データ９が記憶されている。楽曲データ９は、個々の携帯端末装置２が個別に取得しても良いが、本実施形態ではマスター装置３が他のスレーブ装置４に対して楽曲データを送信し、各スレーブ装置４がマスター装置３から受信した楽曲データをメモリ２０に格納する。例えばマスター装置３のメモリ２０には一つの楽曲を構成する全ての楽曲データ９が予め格納されており、マスター装置３は、その楽曲データ９から、各スレーブ装置４において個別に再生対象となる楽曲データ（以下、これを「個別楽曲データ」ともいう。）を抽出し、送信する。ここでマスター装置３とスレーブ装置４とのデータ通信は、無線通信部１７を介して、或いは外部インタフェース１８に接続されるケーブルを介して行われる。尚、無線通信部１７による通信形態は、例えばＩＲＤＡ（Infrared Data Association）などの赤外線通信であっても良いし、Bluetoothなどの基地局を介さない電波通信であっても良い。
【００２１】
そして複数の携帯端末装置２のそれぞれが、メモリ２０に記憶している楽曲データ９（個別楽曲データ）を、マスター装置３によって指示される再生タイミングで再生する。このとき、各携帯端末装置２は、それぞれのスピーカ１５から出力される音の周波数特性がほぼフラットな周波数特性となるように個別楽曲データを変換して再生することにより、複数の携帯端末装置２から出力される楽曲が高音質で再生されるようにする。
【００２２】
以下、楽曲データ９がモノラルデータ又はステレオデータである場合を例示し、各携帯端末装置２における楽曲再生時の処理の詳細について説明する。図３乃至図５は、それぞれ縦軸を音圧レベル（ＳＰＬ）、横軸を周波数（Ｈｚ）とした周波数特性を示す図である。まず図３（ａ）は、各携帯端末装置２に設けられるスピーカ１５の周波数特性を示している。各携帯端末装置２のスピーカ１５は小型スピーカであるため、低域側での出力特性が低下する。図例では１ｋＨｚ以下の周波数で出力特性が低下している場合を例示している。このようなスピーカ１５で、図３（ａ）に示すように、ほぼフラットな周波数特性の楽曲データを再生すると、所定周波数（１ｋＨｚ）を超える高音域では良好な音質が得られるが、所定周波数（１ｋＨｚ）以下の低音域では出力が低下し、良好な音質が得られず、スピーカ１５から再生される音の周波数特性は図３（ｂ）に示すような特性となる。
【００２３】
そこで各携帯端末装置２は、それぞれのスピーカ１５から出力される音の周波数特性をほぼフラットにするため、再生する楽曲データの周波数特性をスピーカ１５の出力特性に基づいて減衰させる。具体的には図４（ａ）に示すようにスピーカ１５の周波数特性に対して逆特性となるフィルタを用いて楽曲データを変換する。図４（ｂ）には、楽曲データをスピーカ１５の逆特性フィルタを用いてデータ変換した後の周波数特性を示している。
【００２４】
そして各携帯端末装置２は、逆特性フィルタを用いてデータ変換した楽曲データに基づいて楽曲の再生を行うと、スピーカ１５から出力される音の周波数特性は、図５（ａ）に示すような特性となる。つまり、各携帯端末装置２から出力される音の周波数特性は、ほぼフラットな周波数特性となる。ただし、この場合、１台の携帯端末装置２では十分な音圧レベルを出力することができない。そのため、図５（ｂ）に示すように、複数の携帯端末装置２を同期させて一つの楽曲を再生することにより、全体としての音圧レベルを上昇させる。
【００２５】
ここで１台の携帯端末装置２により、ほぼフラットな周波数特性のまま楽曲を再生できる最大の出力レベルは、その携帯端末装置２のスピーカ１５が最低周波数（例えば１００Ｈｚ）で出力可能な最大の出力レベルに依存する。その最低周波数での最大出力レベルを例えばＸｄＢ（ＳＰＬ）とすると、４台の携帯端末装置２で一つの楽曲を同期して再生した場合、全体としての音圧レベルの最大出力レベルは１２ｄＢ程度上昇し、（Ｘ＋１２）ｄｂ（ＳＰＬ）がシステム全体としての最大出力レベルとなる。また８台の携帯端末装置２で一つの楽曲を同期して再生した場合、全体としての音圧レベルの最大出力レベルは１８ｄＢ程度上昇し、（Ｘ＋１８）ｄｂ（ＳＰＬ）がシステム全体としての最大出力レベルとなる。したがって、楽曲再生システム１を構成する携帯端末装置２の台数を増やす程、システム全体としての最大出力レベルは上昇する。その結果、各携帯端末装置２に設けられた各スピーカ１５は低音域の出力特性が低いにもかかわらず、システム全体として再生される楽曲の周波数特性をほぼフラットな特性の高音質に改善することができ、しかも十分な音圧レベルで再生することができる。
【００２６】
上述した最大出力レベルの上昇値は、理想的な場合であり、各携帯端末装置２の位置と聴取者（ユーザ）の位置とによって各携帯端末装置２からの音の位相がずれるため、実際にはシステム全体としての最大出力レベルは上記値よりも低くなる。しかし、ここでは主に低周波数領域の改善を主眼としており、低周波成分は波長が長いので位相合成されやすいことから、低周波数領域に関しては上述した数値に近い最大出力レベルを期待することができるようになる。
【００２７】
次に本実施形態におけるマスター装置３とスレーブ装置４とのそれぞれの動作について説明する。図６は、マスター装置３およびスレーブ装置４における処理手順の一例を示すフローチャートである。尚、図例では１台のスレーブ装置４のみを示しているが、スレーブ装置４が２台以上ある場合であってもそれらスレーブ装置４における処理手順は同様である。
【００２８】
まず始めに、マスター装置３とスレーブ装置４のそれぞれにおいて楽曲再生プログラム８を起動する。これにより、図６に示した各処理が開始される。尚、ここでは楽曲再生プログラム８の起動時に、ユーザの入力操作によってマスター装置３とスレーブ装置４のそれぞれが決定されるものとしている。そしてマスター装置３とスレーブ装置４のそれぞれで楽曲再生プログラム８が起動すると、マスター装置３およびスレーブ装置４のそれぞれが相互にデータ通信を開始する（ステップＳ１００，Ｓ２００）。このデータ通信により、マスター装置３は、一つの楽曲を再生する携帯端末装置２の台数を確定する（ステップＳ１０１）。そしてマスター装置３は、スレーブ装置４に対し、マスター装置３の時計回路２３が示している時計データを送信する（ステップＳ１０２）。スレーブ装置４は、この時計データを受信し、自身の時計回路２３の現在時刻と、マスター装置３の現在時刻とのズレを補正することにより内部時計の同期状態を確立する（ステップＳ２０１）。内部時計を同期させると、スレーブ装置４は、自身での再生対象となる楽曲データ（個別楽曲データ）をマスター装置３から受信するのを待機する状態となる（ステップＳ２０３）。
【００２９】
一方、マスター装置３は時計データを送信した後、例えばユーザの入力操作に基づいてメモリ２０に記憶されている少なくとも１つの楽曲データ９の中から再生対象となる楽曲データ９を選択する（ステップＳ１０３）。そしてマスター装置３は、その選択した楽曲データ９から各スレーブ装置４で再生対象となる楽曲データ（個別楽曲データ）を抽出し、各スレーブ装置４に対して送信を開始する（ステップＳ１０４）。例えばステレオデータである場合、楽曲データ９には左右２チャンネル分のデータが含まれているため、各スレーブ装置４に、左右いずれか一方のチャンネルデータを抽出して送信する。尚、モノラルデータである場合、マスター装置３が記憶している楽曲データ９の全体を各スレーブ装置４に送信する。
【００３０】
これに伴い、スレーブ装置４はマスター装置３から楽曲データ（個別楽曲データ）の受信を開始する（ステップＳ２０４）。そして受信が完了すると（ステップＳ２０５でＹＥＳ）、スレーブ装置４はマスター装置３に対して受信完了通知を行う（ステップＳ２０６）。そしてスレーブ装置４は、マスター装置３から受信した楽曲データ（個別楽曲データ）のデータ変換を行う（ステップＳ２０７）。ここでは、当該スレーブ装置４に設けられたスピーカ１５の逆特性フィルタに基づいてデータ変換が行われる。尚、逆特性フィルタに関する各種パラメータは、スレーブ装置４が起動する楽曲再生プログラム８に対して予め設定されている。スレーブ装置４がデータ変換を終了すると、マスター装置３に対し、準備完了通知を行う（ステップＳ２０８）。そしてスレーブ装置４は、マスター装置３からの再生指示を待機する状態となる（ステップＳ２０９）。
【００３１】
またマスター装置３は、スレーブ装置４から受信完了通知を受信すると（ステップＳ１０５）、全てのスレーブ装置４が受信完了したか否かを判断し（ステップＳ１０６）、全てのスレーブ装置４から受信完了通知を受信するまで待機する（ステップＳ１０６でＮＯ）。全てのスレーブ装置４から受信完了通知を受信すると（ステップＳ１０６でＹＥＳ）、マスター装置３は、自機での再生対象となる楽曲データ（個別楽曲データ）のデータ変換を行う（ステップＳ１０７）。ここでは、マスター装置３に設けられたスピーカ１５の逆特性フィルタに基づいてデータ変換が行われる。尚、この場合も、逆特性フィルタに関する各種パラメータは、マスター装置３が起動する楽曲再生プログラム８に対して予め設定されている。マスター装置３がデータ変換を終了すると、スレーブ装置４から準備完了通知を受信するのを待機する（ステップＳ１０８）。そしてスレーブ装置４から準備完了通知を受信した場合、全てのスレーブ装置４が準備完了状態であるか否かを判断し（ステップＳ１０９）、全てのスレーブ装置４が準備完了となるまで待機する（ステップＳ１０９でＮＯ）。
【００３２】
そして全てのスレーブ装置４が準備完了状態になると、マスター装置３は、各スレーブ装置４に対して再生タイミングを送信する（ステップＳ１１０）。再生タイミングは、例えば、マスター装置３の内部時計において再生を開始する時刻を定めることにより指定される。各スレーブ装置４は、マスター装置３から再生タイミングを受信すると（ステップＳ２１０）、それにより再生を開始する時刻を把握する。そしてマスター装置３およびスレーブ装置４のそれぞれが、再生タイミングになったことを把握すると（ステップＳ１１１でＹＥＳ，ステップＳ２１１でＹＥＳ）、予めデータ変換しておいた楽曲データ（個別楽曲データ）に基づいて楽曲の再生を開始する（ステップＳ１１２，Ｓ２１２）。このとき、マスター装置３およびスレーブ装置４の内部時計は上述した処理によってズレのない状態となっているため、マスター装置３とスレーブ装置４のそれぞれが同時に楽曲の再生を開始する。
【００３３】
その結果、マスター装置３およびスレーブ装置４のそれぞれでは、出力レベルは低い反面、全周波数域でほぼフラットな特性の高音質な楽曲再生が行われる。そしてマスター装置３およびスレーブ装置４のそれぞれが同時に楽曲再生を開始することにより、楽曲全体としての出力レベルが上昇し、十分な音圧レベルを得ることができる。したがって、本実施形態の楽曲再生システム１は、低音域の出力特性が十分でないスピーカ１５を備えた携帯端末装置２を複数台用いて一つの楽曲データを同時再生することにより、個々のスピーカ１５の出力特性を改善した高音質な楽曲再生が行えるようになっている。
【００３４】
（第２の実施の形態）
図７は、第２の実施の形態における楽曲再生システム１ａの構成例を示す図である。本実施形態では、楽曲再生システム１ａにおいて再生する楽曲データ９が、３．１ｃｈ、５．１ｃｈ、７．１ｃｈ、或いは９．１ｃｈなどのように、低域用データ（ウーハー用データ）と、１以上のチャンネルデータとを含むサラウンドデータである場合を例示する。図例は、５．１ｃｈのサラウンドデータを再生する場合に適した配置例を示しており、楽曲再生システム１ａは、再生楽曲を聴くユーザのフロント側センター位置に配置される携帯端末装置２ａと、フロント側ライト位置に配置される携帯端末装置２ｂと、フロント側レフト位置に配置される携帯端末装置２ｃと、リア側ライト位置に配置される携帯端末装置２ｄと、リア側レフト位置に配置される携帯端末装置２ｅとを備えている。これら複数の携帯端末装置２ａ，２ｂ，２ｃ，２ｄ，２ｅのうち、携帯端末装置２ａがマスター装置３として機能し、他の携帯端末装置２ｂ，２ｃ，２ｄ，２ｅがスレーブ装置４として機能する。ここでは５台の携帯端末装置で楽曲再生システムを構成する例を示しているが、携帯端末装置の台数はこれに限られるものではなく、例えば各位置に対して複数台を設置しても良い。尚、各携帯端末装置２ａ〜２ｅの構成は、図２に示したものと同様である。
【００３５】
図８及び図９は、それぞれ縦軸を音圧レベル（ＳＰＬ）、横軸を周波数（Ｈｚ）とした周波数特性を示す図である。まず図８（ａ）に示すように、サラウンドデータには、ウーハー用データと、各スピーカ１５の位置に対応したチャンネルデータとが含まれている。５．１ｃｈの場合、チャンネルデータは５つある。
【００３６】
図８（ａ）に示すように、ウーハー用データは、低音用のデータ（低域用データ）であるため、そのデータには高周波成分はほとんど含まれない。これに対し、各チャンネルデータの周波数特性は、ほぼフラットな特性となっている。このようなサラウンドデータを各携帯端末装置２ａ〜２ｅにおいてそのまま再生すると、スピーカ１５の周波数特性（出力特性）により低音域の出力が低下する。その結果、ウーハー用データおよび各チャンネルデータのそれぞれが、低音域において、図８（ａ）に示す特性とは異なる歪んだ特性となるので、音質が低下する。
【００３７】
そのため、本実施形態でも第１の実施の形態と同様に、各携帯端末装置２ａ〜２ｅにおいてスピーカ１５の出力特性に対応した逆特性フィルタを用いてデータ変換を行い、ウーハー用データおよび各チャンネルデータのそれぞれを減衰させる。そして減衰させたウーハー用データおよび各チャンネルデータのそれぞれを各携帯端末装置２ａ〜２ｅのそれぞれで再生する。
【００３８】
ここで、減衰させたウーハー用データおよび各チャンネルデータのそれぞれを１台の携帯端末装置で再生すると仮定した場合、再生されるウーハー音の周波数特性および各チャンネル音の周波数特性は、図８（ｂ）に示すようになる。図８（ｂ）に示すようにウーハー音および各チャンネル音の音圧レベルは、スピーカ１５の最低周波数における最大の出力レベル以下に抑えられる。そのため、この状態では十分な音圧レベルは得られない。
【００３９】
そこで本実施形態では、指向性の低い低音用のデータであるウーハー用データを全ての携帯端末装置２ａ〜２ｅで再生し、それによってシステム全体としてのウーハー音の音圧レベルを上昇させる。また指向性の高い高音域を含む各チャンネルデータは、ユーザの周囲に配置した各位置に対応する携帯端末装置２ａ〜２ｅが個別に再生する。このとき、システム全体としてのウーハー音の音圧レベルに合わせて、各チャンネルデータをアンプにより増幅し、各チャンネル音の音圧レベルを上昇させる。
【００４０】
図９は、上記のようにして再生される各チャンネル音の周波数特性およびウーハー音の周波数特性を示している。図９に示すように、ウーハー音は複数の携帯端末装置２ａ〜２ｅの全てが再生するため、図８（ｂ）と比較して音圧レベルが上昇している。また各チャンネル音は１台の携帯端末装置が増幅して再生するため、中音域乃至高音域においてウーハー音と略同等の音圧レベルが得られる。その一方、各チャンネル音の低音域部分Ｌは、スピーカ１５の出力特性による影響を受けるため、元のチャンネルデータの周波数特性と同等には再現されない可能性がある。しかし、本実施形態では、ウーハー音については全ての携帯端末装置２ａ〜２ｅで出力され、高い音圧レベルが得られているので、各チャンネルに含まれる低音出力がスピーカ１５の出力特性によって抑制されたとしてもその影響は少ない。したがって、本実施形態の楽曲再生システム１ａは、複数の携帯端末装置２ａ〜２ｅによってサラウンドデータである楽曲データ９を高音質で再生することができるようになる。
【００４１】
次に本実施形態におけるマスター装置３とスレーブ装置４とのそれぞれの動作について説明する。図１０および図１１は、本実施形態においてマスター装置３およびスレーブ装置４が行う処理手順の一例を示すフローチャートである。尚、図例では１台のスレーブ装置４のみを示しているが、他のスレーブ装置４の処理手順についても同様である。
【００４２】
まず始めに、マスター装置３とスレーブ装置４のそれぞれにおいて楽曲再生プログラム８を起動する。これにより、マスター装置３とスレーブ装置４のそれぞれが決定され、各処理が開始される。そしてマスター装置３とスレーブ装置４のそれぞれで楽曲再生プログラム８が起動すると、マスター装置３およびスレーブ装置４のそれぞれが相互にデータ通信を開始する（ステップＳ１３０，Ｓ２３０）。このデータ通信により、マスター装置３は、一つの楽曲を再生する携帯端末装置２の台数を確定する（ステップＳ１３１）。またスレーブ装置４は、データ通信後、ユーザの入力操作に基づいてスピーカ１５の設置位置を選択し（ステップＳ２３１）、スピーカ設置位置に関する情報をマスター装置３に送信する（ステップＳ２３２）。マスター装置３は、各スレーブ装置４から受信するスピーカ設置位置に関する情報に基づいて複数のスピーカ１５の位置を確定する（ステップＳ１３２）。尚、マスター装置３の設置位置はフロント側センター位置としてデフォルト設定されている。
【００４３】
そしてマスター装置３は、各スレーブ装置４の設置位置に基づいて各スレーブ装置４にチャンネルを割り当て、各スレーブ装置４が再生するチャンネルデータを決定する（ステップＳ１３４）。その後、マスター装置３は、スレーブ装置４に対し、マスター装置３の時計回路２３が示している時計データを送信する（ステップＳ１３５）。スレーブ装置４は、この時計データを受信し、自身の時計回路２３の現在時刻と、マスター装置３の現在時刻とのズレを補正することによりマスター装置３との内部時計の同期状態を確立する（ステップＳ２３３）。内部時計を同期させると、スレーブ装置４は、自身での再生対象となる個別楽曲データ（本実施形態の場合は、ウーハー用データとチャンネルデータ）をマスター装置３から受信するのを待機する状態となる（ステップＳ２３４）。
【００４４】
一方、マスター装置３は時計データを送信した後、例えばユーザの入力操作に基づいてメモリ２０に記憶されている少なくとも１つの楽曲データ９の中から再生対象となる楽曲データ９を選択する（ステップＳ１３６）。そしてマスター装置３は、その選択した楽曲データ９に含まれるウーハー用データを複数の携帯端末装置２ａ〜２ｅの全てで再生した場合の出力レベル（音圧レベル）を算出し（ステップＳ１３７）、その出力レベルに基づいて各チャンネルデータに対して付与するゲインを算出する（ステップＳ１３８）。そしてマスター装置３は、楽曲データ９から各スレーブ装置４において再生対象となるチャンネルデータとウーハー用データとを抽出し、スレーブ装置４のそれぞれに対して送信を開始する（ステップＳ１３９）。これにより、各スレーブ装置４には、その設置位置に対応したチャンネルデータと、ウーハー用データとが、個別楽曲データとして送られる。また、このとき、マスター装置３は、各スレーブ装置４に対し、チャンネルデータに対して付与するゲインを送信する。
【００４５】
スレーブ装置４は、マスター装置３から送信されるチャンネルデータとウーハー用データとを含む個別楽曲データの受信を開始する（ステップＳ２３５）。そして受信が完了すると、マスター装置３から受信したチャンネルデータとウーハー用データのデータ変換を行う（ステップＳ２３６）。ここでは、当該スレーブ装置４に設けられたスピーカ１５の逆特性フィルタに基づいて、チャンネルデータおよびウーハー用データのそれぞれを減衰させる処理が行われる。そしてデータ変換が終了すると、次に、チャンネルデータに対して付与するゲインを設定する（ステップＳ２３７）。
【００４６】
一方、マスター装置３は、各スレーブ装置４へのデータ送信を完了すると、マスター装置用のチャンネルデータとウーハー用データのデータ変換を行う（ステップＳ１４０）。ここでは、マスター装置３に設けられたスピーカ１５の逆特性フィルタに基づいて、チャンネルデータおよびウーハー用データのそれぞれを減衰させる処理が行われる。そしてデータ変換が終了すると、次に、チャンネルデータに対して付与するゲインを設定する（ステップＳ１４１）。
【００４７】
図１１のフローチャートに進み、スレーブ装置４は、上述した処理を終了すると、マスター装置３に対して準備完了通知を行い（ステップＳ２３８）、マスター装置３からの再生指示を待機する状態となる（ステップＳ２３９）。またマスター装置３は、スレーブ装置４から準備完了通知を受信すると（ステップＳ１４２）、全てのスレーブ装置４が準備完了したか否かを判断し（ステップＳ１４３）、全てのスレーブ装置４が準備完了となるまで待機する（ステップＳ１４３でＮＯ）。
【００４８】
そして全てのスレーブ装置４が準備完了状態になると、マスター装置３は、各スレーブ装置４に対して再生タイミングを送信する（ステップＳ１４４）。各スレーブ装置４は、マスター装置３から再生タイミングを受信すると（ステップＳ２４０）、それにより再生を開始する時刻を把握する。そしてマスター装置３およびスレーブ装置４のそれぞれが、再生タイミングになったことを把握すると（ステップＳ１４５でＹＥＳ，ステップＳ２４１でＹＥＳ）、予めデータ変換しておいた個別楽曲データ（すなわち、ウーハー用データと各チャンネルデータ）に基づいて楽曲の再生を開始する（ステップＳ１４６，Ｓ２４２）。これにより、マスター装置３とスレーブ装置４のそれぞれが同時に楽曲の再生を開始する。
【００４９】
その結果、楽曲再生システム１ａとしてサラウンドデータの再生が行われる。特にウーハー音は、良好な周波数特性を保持したまま、全ての携帯端末装置２ａ〜２ｅで再生されるので、高い音圧レベルで出力される。また各チャンネル音についても各携帯端末装置２ａ〜２ｅでのゲイン付与により、ウーハー音の音圧レベルに適合する音圧レベルで出力される。したがって、本実施形態では、複数の携帯端末装置２ａ〜２ｅによってサラウンドデータの再生を高音質で行うことができるようになる。
【００５０】
（第３の実施の形態）
上述した第２の実施の形態では、サラウンドデータに含まれる各チャンネルの低音域の出力がスピーカ１５の出力特性によって低下する可能性があった。これに鑑み、本実施形態では、各チャンネルの低音域についても良好に再生することができるようにした一形態について説明する。尚、本実施形態における楽曲再生システムの構成は第２の実施の形態と同様である。
【００５１】
図１２及び図１３は、それぞれ縦軸を音圧レベル（ＳＰＬ）、横軸を周波数（Ｈｚ）とした周波数特性を示す図である。本実施形態では、図１２（ａ）に示すように、サラウンドデータに含まれる各チャンネルデータを、低域データと、高域データとに分離する。例えば５．１ｃｈの場合、チャンネルデータは５つあるので、それら５つのチャンネルデータの全てを、低域データと、高域データとに分離する。そして図１２（ｂ）に示すように、各チャンネルデータから分離した低域データを全て、サラウンドデータに含まれるウーハー用データに加算し、新たなウーハー用データを生成する。
【００５２】
そして本実施形態でも上述した各実施形態と同様に、各携帯端末装置２ａ〜２ｅにおいてスピーカ１５の出力特性に対応した逆特性フィルタを用いてデータ変換を行い、低域データを加算したウーハー用データおよび各チャンネルデータから分離した高域データのそれぞれを減衰させる。そして減衰させたウーハー用データおよび各チャンネルデータの高域データを各携帯端末装置２ａ〜２ｅのそれぞれで再生する。
【００５３】
ここで、減衰させたウーハー用データおよび各チャンネルデータの高域データのそれぞれを１台の携帯端末装置で再生すると仮定した場合、再生されるウーハー音の周波数特性および各チャンネル音の周波数特性は、図１３（ａ）に示すようになる。図１３（ａ）に示すようにウーハー音および各チャンネル音の音圧レベルは、スピーカ１５の最低周波数における最大の出力レベル以下に抑えられるため、この状態では十分な音圧レベルは得られない。
【００５４】
そこで本実施形態においても、第２の実施の形態と同様に、指向性の低い低音用のデータであるウーハー用データ（すなわち各チャンネルの低域データを加算したウーハー用データ）を全ての携帯端末装置２ａ〜２ｅで再生し、それによってシステム全体としてのウーハー音の音圧レベルを上昇させる。また指向性の高い高音域を含む各チャンネルデータから分離した高域データは、ユーザの周囲に配置した各位置に対応する携帯端末装置２ａ〜２ｅが個別に再生する。このとき、システム全体としてのウーハー音の音圧レベルに合わせて、各チャンネルデータの高域データをアンプにより増幅し、各チャンネルの高域音の音圧レベルを上昇させる。
【００５５】
図１３（ｂ）は、上記のようにして再生される各チャンネル音の周波数特性およびウーハー音の周波数特性を示している。図１３（ｂ）に示すように、ウーハー音は複数の携帯端末装置２ａ〜２ｅの全てが再生するため、図１３（ａ）と比較して音圧レベルが上昇している。そしてこのウーハー音には、各チャンネルに含まれる低域音が加算されているため、各チャンネルの低域音も良好に再生されることになる。また各チャンネルに含まれる高域音は１台の携帯端末装置が増幅して再生するため、ウーハー音と略同等の音圧レベルが得られる。したがって、本実施形態では、各チャンネルに含まれる低音域を劣化させるがことなく、サラウンドデータである楽曲データ９をさらに高音質で再生することができるようになる。
【００５６】
図１４は、各携帯端末装置２ａ〜２ｅにおける機能構成を示すブロック図であり、楽曲データ９が５．１ｃｈのサラウンドデータである場合を示している。楽曲データ９には、ユーザのフロント側センター位置に対応するチャンネルデータＤ１と、フロント側ライト位置に対応するチャンネルデータＤ２と、フロント側レフト位置に対応するチャンネルデータＤ３と、リア側ライト位置に対応するチャンネルデータＤ４と、リア側レフト位置に対応するチャンネルデータＤ５と、ウーハー用データＤ６とが含まれている。
【００５７】
マスター装置３は、各チャンネルデータＤ１〜Ｄ５から高域データを抽出するハイパスフィルタ（ＨＰＦ）と低域データを抽出するローパスフィルタ（ＬＰＦ）とを備えている。各チャンネルに設けられる２つのフィルタは、同じフィルタであっても良いし、異なるフィルタであっても良い。そしてマスター装置３は、各チャンネルデータＤ１〜Ｄ５から抽出した低域データを、ウーハー用データＤ６に対して順次加算し、全ての低域データを加算したウーハー用データＤ６を各スレーブ装置４に送信する。またチャンネルデータＤ２〜Ｄ５から抽出した高域データを、各チャンネルに対応するスレーブ装置４に対して送信する。
【００５８】
マスター装置３およびスレーブ装置４のそれぞれには、各スピーカ１５の出力特性の逆特性となる逆特性フィルタＲＦが設けられている。マスター装置３は、チャンネルデータＤ１から抽出した高域データを逆特性フィルタＲＦに通して減衰させた後、アンプＡＭＰで増幅する。また低域データを加算したウーハー用データＤ６を逆特性フィルタＲＦに通して減衰させ、アンプＡＭＰで増幅された高域データと加算してスピーカ１５に出力する。また各スレーブ装置４では、マスター装置３から受信する各チャンネルの高域データと低域データが加算されたウーハー用データＤ６とのそれぞれに対して同様の処理を行う。
【００５９】
次に本実施形態におけるマスター装置３とスレーブ装置４とのそれぞれの動作について説明する。図１５および図１６は、本実施形態においてマスター装置３およびスレーブ装置４が行う処理手順の一例を示すフローチャートである。図例では１台のスレーブ装置４のみを示しているが、他のスレーブ装置４の処理手順についても同様である。尚、図１５において、マスター装置３が行うステップＳ１６０〜Ｓ１６４の処理、およびスレーブ装置４が行うステップＳ２６０〜Ｓ２６４の処理は、図１０に示したステップＳ１３０〜Ｓ１３５およびステップＳ２３０〜Ｓ２３４のそれぞれと同様であるため、以下においてはそれ以降の処理について説明する。
【００６０】
マスター装置３は時計データを送信した後、例えばユーザの入力操作に基づいてメモリ２０に記憶されている少なくとも１つの楽曲データ９の中から再生対象となる楽曲データ９を選択する（ステップＳ１６５）。そしてその選択された楽曲データ９に含まれる各チャンネルデータから低域データと高域データとを分離し（ステップＳ１６６）、各チャンネルの低域データとウーハー用データとを加算する（ステップＳ１６７）。そして低域データを加算したウーハー用データを複数の携帯端末装置２ａ〜２ｅの全てで再生した場合の出力レベル（音圧レベル）を算出し（ステップＳ１６８）、その出力レベルに基づいて各チャンネルの高域データに対して付与するゲインを算出する（ステップＳ１６９）。そして各スレーブ装置４において再生対象となるチャンネルの高域データと、低域データを加算したウーハー用データとを抽出し、スレーブ装置４のそれぞれに対して送信を開始する（ステップＳ１７０）。これにより、各スレーブ装置４には、その設置位置に対応したチャンネルの高域データと、各チャンネルの低域データが加算されたウーハー用データとが、個別楽曲データとして送られる。また、このとき、マスター装置３は、各スレーブ装置４に対し、各チャンネルの高域データに対して付与するゲインを送信する。その結果、スレーブ装置４は、マスター装置３から送信される高域データと、低域データの加算されたウーハー用データとを含む個別楽曲データの受信を開始する（ステップＳ２６５）。
【００６１】
図１６のフローチャートに進み、スレーブ装置４は、個別楽曲データの受信が完了すると、マスター装置３から受信した高域データとウーハー用データのデータ変換を行う（ステップＳ２６６）。ここでは、当該スレーブ装置４に設けられたスピーカ１５の逆特性フィルタに基づいて、高域データおよびウーハー用データのそれぞれを減衰させる処理が行われる。そしてデータ変換が終了すると、次に、高域データに対して付与するゲインを設定する（ステップＳ２６７）。
【００６２】
一方、マスター装置３は、各スレーブ装置４へのデータ送信を完了すると、マスター装置用の高域データとウーハー用データのデータ変換を行う（ステップＳ１７１）。ここでは、マスター装置３に設けられたスピーカ１５の逆特性フィルタに基づいて、高域データおよびウーハー用データのそれぞれを減衰させる処理が行われる。そしてデータ変換が終了すると、次に、高域データに対して付与するゲインを設定する（ステップＳ１７２）。尚、これ以降の処理は、図１１に示したフローチャートと同様である。
【００６３】
上記のような処理を行うことにより、マスター装置３とスレーブ装置４のそれぞれが同時に楽曲の再生を開始する。そして本実施形態では、サラウンドデータの各チャンネルデータに含まれる指向性の低い低音部分を、ウーハー用データに含めて全ての携帯端末装置２ａ〜２ｅで再生するので、より一層高音質な楽曲再生が可能である。
【００６４】
尚、本実施形態を、上述した第２の実施の形態と比較した場合、上述したように、より高音質な楽曲再生を行えるという点で本実施形態の方が優れているが、本実施形態ではチャンネルデータの一部を分離して全ての携帯端末装置２ａ〜２ｅで再生するため、ユーザが感知するサラウンド感は第２の実施の形態よりも劣る可能性がある。そのため、第２の実施の形態で説明した再生方法と、本実施形態による再生方法とのいずれを採用するかを、ユーザが選択できるように構成しても良い。
【００６５】
（変形例）
以上、本発明の一実施形態について説明したが、本発明は上述した内容に限定されるものではない。
【００６６】
例えば、上述した各実施形態では、スレーブ装置が、マスター装置から受信した楽曲データ（個別楽曲データ）に対し、スピーカ１５の逆特性フィルタに基づいてデータ変換を行っているが、これに限られるものはない。つまり、マスター装置が個別楽曲データをデータ変換してから各スレーブ装置にデータ送信を行うようにしても良い。ただし、この場合、マスター装置は、スレーブ装置のスピーカ１５の逆特性フィルタに関する各種パラメータを予め保持している必要がある。
【００６７】
また上述した各実施形態では、マスター装置又はスレーブ装置においてデータ変換が完了してから再生を開始する場合を例示した。例えば、図６のステップＳ１０９、ステップＳ１１０では、マスター装置およびスレーブ装置の全ての装置でデータ変換が完了して準備が整った場合に再生を開始するようになっている。しかしながら、必ずしも楽曲データの全体についてデータ変換を完了させてから再生を開始する必要はない。つまり、楽曲データの再生に必要な最初の一部のデータが変換されれば再生を開始し、その後、再生に間に合うようにそれに続くデータの変換を並行して行うようにしても良い。こうすることで、データ変換と再生処理とを並行して行うことができ、再生開始までの時間を短縮することができるという利点がある。
【００６８】
また例えば、上述した第２の実施の形態および第３の実施の形態では、サラウンドデータを再生している複数の携帯端末装置２ａ〜２ｅのうちから１台が離脱すると、それに伴い再生されるウーハー音の音圧レベルが低下し、ウーハー音と各チャンネル音とのバランスが悪化する可能性がある。これを防止するためには、例えばサラウンドデータの再生開始後、マスター装置３が各スレーブ装置４を監視しておき、１台のスレーブ装置４が離脱すると、それに伴って、マスター装置３および残ったスレーブ装置４において各チャンネルデータに付与するゲインを再調整するように構成することが好ましい。またこの場合、離脱したスレーブ装置４が担当していたチャンネルデータを他のスレーブ装置４に再分配することがより好ましい。
【００６９】
また上述した第２の実施の形態および第３の実施の形態では、５．１ｃｈのサラウンドデータをユーザの周囲５箇所に設置した複数の携帯端末装置２ａ〜２ｅで再生する場合を例示したが、携帯端末装置の台数が不足する場合には、例えばリア側ライト位置とリア側レフト位置との２チャンネル分のチャンネルデータに基づく再生を１台の携帯端末装置に担当させたり、或いは、フロント側センター位置と、フロント側ライト位置と、フロント側レフト位置との３チャンネル分のチャンネルデータに基づく再生を１台の携帯端末装置に担当させるなど、１台の携帯端末装置が複数チャンネル分の再生を行うように構成すれば良い。
【００７０】
また楽曲再生に伴って再生すべき動画像が存在する場合には、各携帯端末装置のそれぞれで動画像を表示するようにしても良いし、マスター装置３のみが動画像を表示するようにしても良い。
【００７１】
さらに上述した楽曲再生プログラム８を、例えばダウンロードサイトからダウンロードすることによって各携帯端末装置がプログラムを取得する構成の場合、そのダウンロードサイトには、携帯端末装置の機種に応じて複数種類のプログラムを予め準備しておくことが好ましい。これにより、各携帯端末装置は自機に対応したプログラムをダウンロードすることができるようになり、特にスピーカ１５の逆特性フィルタの精度を高めることができる。
【符号の説明】
【００７２】
１，１ａ  楽曲再生システム
２，２ａ，２ｂ，２ｃ，２ｄ，２ｅ  携帯端末装置（楽曲再生装置）
３  マスター装置
４  スレーブ装置
８  楽曲再生プログラム
９  楽曲データ
１５  スピーカ
１７  無線通信部（通信手段）
１８  外部インタフェース（通信手段）
１９  ＣＰＵ
２０  メモリ（記憶手段） 
【図１】
2011010183.tif 000003
【図２】
2011010183.tif 000004
【図３】
2011010183.tif 000005
【図４】
2011010183.tif 000006
【図５】
2011010183.tif 000007
【図６】
2011010183.tif 000008
【図７】
2011010183.tif 000009
【図８】
2011010183.tif 000010
【図９】
2011010183.tif 000011
【図１０】
2011010183.tif 000012
【図１１】
2011010183.tif 000013
【図１２】
2011010183.tif 000014
【図１３】
2011010183.tif 000015
【図１４】
2011010183.tif 000016
【図１５】
2011010183.tif 000017
【図１６】
2011010183.tif 000018